(57)【要約】【課題】ガスボンベの周方向位置によるＲＦＩＤタグの電波強度のバラツキを抑え、ＲＦＩＤタグに記憶されたガスボンベに関する情報を安定的に取得することができるガスボンベを提供する。【解決手段】ガスボンベ１０はＲＦＩＤタグ２０を備えている。そして、ＲＦＩＤタグ２０のアンテナコイルが、ボンベ本体１２の首部１２Ｃよりも上方の位置において略水平方向にリング状に巻回されている。【選択図】図１
2007010071.tif 000002
【特許請求の範囲】
【請求項１】
ＲＦＩＤタグを備えたガスボンベにおいて、
前記ＲＦＩＤタグのアンテナコイルは、ボンベ本体の首部よりも上方の位置において略水平方向にリング状に巻回されていることを特徴とするガスボンベ。
【請求項２】
請求項１において、
前記ＲＦＩＤタグのアンテナコイルは、前記ボンベ本体の軸心を中心として略同心円状に巻回されていることを特徴とするガスボンベ。
【請求項３】
請求項１又は２において、
前記ボンベ本体の首部の上部に連結されたガス排出口と、
略水平方向に回転自在とされ、前記ガス排出口から排出されるガスの排出量を調整可能な操作ハンドルと、を更に備え、
前記ＲＦＩＤタグのアンテナコイルは、前記操作ハンドルの回転方向にリング状に巻回されていることを特徴とするガスボンベ。
【請求項４】
請求項１又は２において、
前記ボンベ本体の首部の上部に装着可能な略筒状の保護キャップを更に備え、
前記ＲＦＩＤタグのアンテナコイルは、前記保護キャップの外側面に沿ってリング状に巻回されていることを特徴とするガスボンベ。
【請求項５】
請求項１又は２において、
前記ボンベ本体の首部の上部に装着可能であって上部に略円形の上部開口部が形成された略筒状の保護キャップを更に備え、
前記ＲＦＩＤタグのアンテナコイルは、前記保護キャップにおける前記上部開口部の外縁に沿ってリング状に巻回されていることを特徴とするガスボンベ。
【請求項６】
請求項１において、
側部の対向位置に２つの側部開口部が形成された略筒状の保護キャップを更に備え、
前記ＲＦＩＤタグのアンテナコイルは、前記２つの側部開口部に挿通されて前記保護キャップの側壁に沿ってリング状に巻回されていることを特徴とするガスボンベ。
【請求項７】
請求項６において、
前記アンテナコイルを前記保護キャップの側壁側に押圧して固定する固定部材を更に備えたことを特徴とするガスボンベ。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）タグを備えたガスボンベに関する。
【背景技術】
【０００２】
従来、プロパンガスや酸素ガス等のガスを高圧液化して収容したガスボンベが広く知られている。このようなガスボンベは、高圧ガス保安法等による法規制の対象となっており、内容物の種類や容積、耐圧、製造年月日、製造者、製造番号等のガスボンベに関する情報の管理が必要である。
【０００３】
しかしながら、従来のガスボンベでは、ガスボンベに刻印された製造番号等をガスボンベの配送員や管理者が１つ１つ目で確認する必要があり、ガスボンベに関する情報の管理に多大な手間を要していた。
【０００４】
このような問題を解決する一手段として、特許文献１には、ガスボンベを構成するネックリングに形成した取付溝部と、この取付溝部内に配置されたＲＦＩＤタグと、このＲＦＩＤタグの少なくとも表面側を覆う保護体と、を備えたガスボンベが開示されており、このガスボンベによれば、リードライタによってＲＦＩＤタグに記憶されたガスボンベに関する情報を取得することが可能となる。
【特許文献１】特開２００２−１８１２９６号公報
【発明の開示】
【発明が解決しようとする課題】
【０００５】
しかしながら、上記特許文献１に記載のガスボンベでは、ＲＦＩＤタグをネックリングの周方向の一部に取り付けているため、ガスボンベの周方向位置によってＲＦＩＤタグの電波強度にバラツキが生じやすかった。そのため、リードライタの位置によってはＲＦＩＤタグとの通信を安定的に行うことができない場合があり、ＲＦＩＤタグからの情報収集が困難になるおそれがあった。
【０００６】
本発明は、このような問題点を解決するためになされたものであって、ガスボンベの周方向位置によるＲＦＩＤタグの電波強度のバラツキを抑え、ＲＦＩＤタグに記憶されたガスボンベに関する情報を安定的に取得することができるガスボンベを提供することを目的とする。
【課題を解決するための手段】
【０００７】
本発明に係るガスボンベは、ＲＦＩＤタグを備えたガスボンベにおいて、前記ＲＦＩＤタグのアンテナコイルは、ボンベ本体の首部よりも上方の位置において略水平方向にリング状に巻回されていることによって、上記課題を解決したものである。
【０００８】
本発明によれば、ガスボンベの上方においてアンテナコイルの磁束をガスボンベの全周に亘って発生させることができる。そのため、ガスボンベの周方向位置によるＲＦＩＤタグの電波強度のバラツキを抑え、ＲＦＩＤタグに記憶されたガスボンベに関する情報を安定的に取得することができる。
【０００９】
なお、前記ＲＦＩＤタグのアンテナコイルは、前記ボンベ本体の軸心を中心として略同心円状に巻回されていれば、アンテナコイルから発生する磁束をガスボンベの全周に亘って略均一にすることができ、ＲＦＩＤタグの電波強度のバラツキをより一層削減することができる。
【００１０】
又、（１）前記ボンベ本体の首部の上部に連結されたガス排出口と、略水平方向に回転自在とされ、前記ガス排出口から排出されるガスの排出量を調整可能な操作ハンドルと、を更に備え、前記ＲＦＩＤタグのアンテナコイルは、前記操作ハンドルの回転方向にリング状に巻回されていたり、（２）前記ボンベ本体の首部の上部に装着可能な略筒状の保護キャップを更に備え、前記ＲＦＩＤタグのアンテナコイルは、前記保護キャップの外側面に沿ってリング状に巻回されていたり、(３)前記ボンベ本体の首部の上部に装着可能であって上部に略円形の上部開口部が形成された略筒状の保護キャップを更に備え、前記ＲＦＩＤタグのアンテナコイルは、前記保護キャップにおける前記上部開口部の外縁に沿ってリング状に巻回されていても、ガスボンベの周方向位置によるＲＦＩＤタグの電波強度のバラツキを抑え、ＲＦＩＤタグに記憶されたガスボンベに関する情報を安定的に取得することができる。
【００１１】
又、側部の対向位置に２つの側部開口部が形成された略筒状の保護キャップを更に備え、前記ＲＦＩＤタグのアンテナコイルは、前記２つの側部開口部に挿通されて前記保護キャップの側壁に沿ってリング状に巻回されていれば、ガスボンベの周方向位置によるＲＦＩＤタグの電波強度のバラツキを抑え、ＲＦＩＤタグに記憶されたガスボンベに関する情報を安定的に取得することができる上に、ＲＦＩＤタグの取り付け・取り外しが容易で、ＲＦＩＤタグのメンテナンス性を向上させることができる。
【００１２】
更に又、前記アンテナコイルを前記保護キャップの側壁側に押圧して固定する固定部材を更に備えていれば、アンテナコイルを保護キャップに確実に固定することができる。
【発明の効果】
【００１３】
本発明に係るガスボンベは、ガスボンベの周方向位置によるＲＦＩＤタグの電波強度のバラツキを抑え、ＲＦＩＤタグに記憶されたガスボンベに関する情報を安定的に取得することができるという優れた効果を有する。
【発明を実施するための最良の形態】
【００１４】
以下、図面を用いて、本発明の実施例１〜４に係るガスボンベについて詳細に説明する。
【実施例１】
【００１５】
図１は本発明の実施例１に係るガスボンベ１０の略示正面図、図２はガスボンベ１０の略示平面図、図３はガスボンベ１０の略示側面図、図４は図３におけるＩＶ−ＩＶ線に沿う略示断面図である。
【００１６】
本実施例１に係るガスボンベ１０は、有底で略筒状の胴部１２Ａ、この胴部１２Ａの上部に連続的に形成され、上方に向かって小径となる肩部１２Ｂ、及び、この肩部１２Ｂの上部に連続的に形成された略筒状の首部１２Ｃからなる金属製のボンベ本体１２と、このボンベ本体１２の首部１２Ｃの上部に連結されたガス排出口１４と、略水平方向に回転自在とされ、ガス排出口１４から排出されるガスの排出量を調整可能な操作ハンドル１６と、ガス排出口１４及び操作ハンドル１６を覆ってボンベ本体１２の首部１２Ｃの上部に装着された略筒状の保護キャップ１８と、この保護キャップ１８に取付けられたＲＦＩＤタグ２０と、を有して構成されている。
【００１７】
ボンベ本体１２には、プロパンガス、天然ガス、酸素ガス、水素ガス、炭酸ガス、窒素ガス等のガスが高圧液化して収容される。
【００１８】
保護キャップ１８の上部には、図３に示されるように、上方から操作ハンドル１６の操作を可能とするための略円形の上部開口部１８Ａが形成されていると共に、保護キャップ１８の側部には、ガス排出口１４を外部に露出させるための２つの第１側部開口部１８Ｂ及び第２側部開口部１８Ｃが対向して形成されている。
【００１９】
ＲＦＩＤタグ２０は、図４に示されるように、記憶部、電源整流部、送信部、及び、受信部などを備えたＩＣチップ２０Ａと、このＩＣチップ２０Ａの送信部及び受信部に接続されたアンテナコイル２０Ｂと、を有して構成された電磁誘導方式のＲＦＩＤタグである。そして、ＲＦＩＤタグ２０の記憶部には、ボンベ本体１２の内容物の種類や容積、耐圧、製造年月日、製造者、製造番号等のガスボンベ１０に関する情報が予め記憶されている。なお、本発明に係る「ＲＦＩＤタグ」は、本実施例１に係るＲＦＩＤタグ２０の構造に限定されるものではなく、例えば、ＲＦＩＤタグの通信方式としては、電磁誘導方式の他、２．４５ＧＨｚのマイクロ波帯の電波を利用した電波方式などを適用することができる。
【００２０】
このＲＦＩＤタグ２０のアンテナコイル２０Ｂは、保護キャップ１８の２つの第１側部開口部１８Ｂ及び第２側部開口部１８Ｃに挿通されて保護キャップ１８の側壁１８Ｄに沿って巻回されており、ボンベ本体１２の首部１２Ｃよりも上方の位置において略水平方向にリング状に巻回されている。なお、図５に示されるように、アンテナコイル２０Ｂを保護キャップ１８の側壁１８Ｄ側に押圧して固定する固定部材２２が設けられていれば、アンテナコイル２０Ｂを保護キャップ１８に確実に固定することができる。特に本図のように、固定部材２２をクリップ構造とし、その各挟持片を、側壁１８Ｄの断面形状（部分円弧形状）の内外周面に沿った形状にすることで、側壁１８Ｄの内周側も壁面に密着させることが出来るので、操作ハンドル１６の操作を阻害することなく、効率的且つ安定的にＲＦＩＤタグ２０を設置可能となっている。また、クリップ構造にすることで、着脱も容易となり、現在流通しているガスボンベ１０に対しても、ＲＦＩＤタグ２０を用いた管理を開始できるようになる。
【００２１】
次に、本実施例１に係るガスボンベ１０の作用について詳細に説明する。
【００２２】
ＲＦＩＤタグ２０のアンテナコイル２０Ｂがリーダライタ（図示省略）からの電波を受信すると、共振作用により起電力が発生する。この起電力によってＲＦＩＤタグ２０のＩＣチップ２０Ａが起動されＩＣチップ２０Ａ内に記憶されたガスボンベ１０に関する情報が信号化される。そして、信号化された情報は、ＲＦＩＤタグ２０のアンテナコイル２０Ｂを介して外部に送信される。従って、このＲＦＩＤタグ２０から送信されたガスボンベ１０に関する情報をリーダライタで取得することによって、ガスボンベ１０に関する情報の管理を容易に行うことができる。
【００２３】
本実施例１に係るガスボンベ１０によれば、ＲＦＩＤタグ２０のアンテナコイル２０Ｂが、ボンベ本体１２の首部１２Ｃよりも上方の位置において略水平方向にリング状に巻回されているため、図６に示されるように、ガスボンベ１０の上方においてアンテナコイル２０Ｂの磁束Ｈをガスボンベ１０の全周に亘って発生させることができる。そのため、ガスボンベ１０の周方向位置によるＲＦＩＤタグ２０の電波強度のバラツキを抑え、ＲＦＩＤタグ２０に記憶されたガスボンベ１０に関する情報を安定的に取得することができる。
【００２４】
特に、ガスボンベ１０は、側部の対向位置に２つの第１側部開口部１８Ｂ及び第２側部開口部１８Ｃが形成された略筒状の保護キャップ１８を更に備え、ＲＦＩＤタグ２０のアンテナコイル２０Ｂは、２つの第１側部開口部１８Ｂ及び第２側部開口部１８Ｃに挿通されて保護キャップ１８の側壁１８Ｄに沿ってリング状に巻回されているため、ＲＦＩＤタグ２０の取り付け・取り外しが容易で、ＲＦＩＤタグ２０のメンテナンス性を向上させることができる。
【実施例２】
【００２５】
図７は本発明の実施例２に係るガスボンベ３０の上部のみを部分的に拡大して示した略示部分拡大図である。
【００２６】
本実施例２に係るガスボンベ３０は、上記実施例１に係るガスボンベ１０に対して、ＲＦＩＤタグ２０の取付け位置を変更したものである。なお、他の構造については、上記実施例１に係るガスボンベ１０と同一であるため、同一部分については図中において同一の符号を付すと共に、その説明は省略する。
【００２７】
本実施例２においては、ＲＦＩＤタグ２０のアンテナコイル２０Ｂが、保護キャップ１８の上部開口部１８Ａの外縁に沿って、ガスボンベ３０の軸心Ｌ１を中心として略同心円状に巻回されている。なお、アンテナコイル２０Ｂは、保護キャップ１０の上部開口部１８Ａの外縁表面に貼り付けてもよく、又、上部開口部１８Ａの外縁に溝を形成し、その溝にアンテナコイル２０Ｂを埋め込んでもよい。
【００２８】
本実施例２に係るガスボンベ３０によれば、ＲＦＩＤタグ２０のアンテナコイル２０Ｂは、保護キャップ１８の上部開口部１８Ａの外縁に沿ってリング状に巻回されているため、ガスボンベ３０の周方向位置によるＲＦＩＤタグ２０の電波強度のバラツキを抑え、ＲＦＩＤタグ２０に記憶されたガスボンベ３０に関する情報を安定的に取得することができる。
【００２９】
特に、ＲＦＩＤタグ２０のアンテナコイル２０Ｂは、ガスボンベ３０の軸心Ｌ１を中心として略同心円状に巻回されているため、図８に示されるように、アンテナコイル２０Ｂから発生する磁束Ｈをガスボンベ３０の全周に亘って略均一にすることができ、ＲＦＩＤタグ２０の電波強度のバラツキをより一層削減することができる。
【実施例３】
【００３０】
図９は本発明の実施例３に係るガスボンベ４０の上部のみを部分的に拡大して示した略示部分拡大図である。
【００３１】
本実施例３に係るガスボンベ４０は、上記実施例１に係るガスボンベ１０に対して、ＲＦＩＤタグ２０の取付け位置を変更したものである。なお、他の構造については、上記実施例１に係るガスボンベ１０と同一であるため、同一部分については図中において同一の符号を付すと共に、その説明は省略する。
【００３２】
本実施例３においては、ＲＦＩＤタグ２０のアンテナコイル２０Ｂが、操作ハンドル１６の回転方向Ｒにリング状に巻回されている。なお、アンテナコイル２０Ｂは、操作ハンドル１６の表面や外周縁に貼り付けてもよく、又、操作ハンドル１６の回転方向全周に亘る溝を形成し、その溝にアンテナコイル２０Ｂを埋め込んでもよい。
【００３３】
本実施例３に係るガスボンベ４０によれば、ＲＦＩＤタグ２０のアンテナコイル２０Ｂは、操作ハンドル１６の回転方向Ｒにリング状に巻回されているため、ガスボンベ４０の周方向位置によるＲＦＩＤタグ２０の電波強度のバラツキを抑え、ＲＦＩＤタグ２０に記憶されたガスボンベ４０に関する情報を安定的に取得することができる。
【実施例４】
【００３４】
図１０は本発明の実施例４に係るガスボンベ５０の上部のみを部分的に拡大して示した略示部分拡大図である。
【００３５】
本実施例４に係るガスボンベ５０は、上記実施例１に係る保護キャップ１８に代えて、ボンベ本体５２の首部５２Ｃの上部に装着可能な略円筒状の保護キャップ５４を備えると共に、上記実施例１に係るガスボンベ１０に対して、ＲＦＩＤタグ２０の取付け位置を変更したものである。なお、他の構造については、上記実施例１に係るガスボンベ１０と同一であるため、同一部分については図中において同一の符号を付すと共に、その説明は省略する。
【００３６】
本実施例４では、ＲＦＩＤタグ２０のアンテナコイル２０Ｂが、保護キャップ５４の外側面に沿ってリング状に巻回されている。なお、アンテナコイル２０Ｂは、保護キャップ５４の外側面の表面に貼り付けてもよく、又、保護キャップ５４の外側面に周方向全周に亘る溝を形成し、その溝にアンテナコイル２０Ｂを埋め込んでもよい。  
【００３７】
本実施例４に係るガスボンベ５０によれば、ボンベ本体５２の首部５２Ｃの上部に装着可能な略筒状の保護キャップ５２を更に備え、ＲＦＩＤタグ２０のアンテナコイル２０Ｂは、保護キャップ５４の外側面に沿ってリング状に巻回されているため、ガスボンベ５０の周方向位置によるＲＦＩＤタグ２０の電波強度のバラツキを抑え、ＲＦＩＤタグ２０に記憶されたガスボンベ５０に関する情報を安定的に取得することができる。
【００３８】
なお、本発明に係るガスボンベは、上記実施例１〜４に係るガスボンベ１０、３０、４０、５０の構造に限定されるものではなく、ＲＦＩＤタグのアンテナコイルが、ガスボンベの首部よりも上方の位置において略水平方向にリング状に巻回されているガスボンベであればよい。
【産業上の利用可能性】
【００３９】
本発明に係るガスボンベは、プロパンガス、天然ガス、酸素ガス、水素ガス、炭酸ガス、窒素ガス等のガスを高圧液化して収容するガスボンベに特に好適である。
【図面の簡単な説明】
【００４０】
【図１】本発明の実施例１に係るガスボンベの略示正面図
【図２】同ガスボンベの略示平面図
【図３】同ガスボンベの略示側面図
【図４】図３におけるＩＶ−ＩＶ線に沿う略示断面図
【図５】同ガスボンベにおける保護キャップに固定部材を配設した例を示した略示断面図
【図６】同ガスボンベにおけるアンテナコイルから発生する磁束を模試的に示した図
【図７】本発明の実施例２に係るガスボンベの略示部分拡大図
【図８】同ガスボンベにおけるアンテナコイルから発生する磁束を模試的に示した図
【図９】本発明の実施例３に係るガスボンベの略示部分拡大図
【図１０】本発明の実施例４に係るガスボンベの略示部分拡大図
【符号の説明】
【００４１】
Ｈ・・・磁束
１０、３０、４０、５０・・・ガスボンベ
１２、５２・・・ボンベ本体
１２Ａ・・・胴部
１２Ｂ・・・肩部
１２Ｃ、５２Ｃ・・・首部
１４・・・ガス排出口
１６・・・操作ハンドル
１８、５４・・・保護キャップ
２０・・・ＲＦＩＤタグ
２０Ａ・・・ＩＣチップ
２０Ｂ・・・アンテナコイル
２２・・・固定部材
【図１】
2007010071.tif 000003
【図２】
2007010071.tif 000004
【図３】
2007010071.tif 000005
【図４】
2007010071.tif 000006
【図５】
2007010071.tif 000007
【図６】
2007010071.tif 000008
【図７】
2007010071.tif 000009
【図８】
2007010071.tif 000010
【図９】
2007010071.tif 000011
【図１０】
2007010071.tif 000012